(57)【特許請求の範囲】
【請求項１】
金属材により円筒状に造られたヘッダと、このヘッダの側面に複数個設けられ、伝熱管の端部を挿通自在なスリット状の接続孔と、上記ヘッダの軸方向中間部に設けられ、このヘッダ内を複数の室に分割する少なくとも一つの隔壁とを備え、この隔壁を構成する板片は、上記ヘッダの内周面とほぼ一致する外周縁を有する小径側半円弧部と、この小径側半円弧部よりも大径の外周縁を有する大径側半円弧部と、これら小径側、大径側両半円弧部同士の連続部に形成した１対の段部とを備えており、上記隔壁は、上記ヘッダにほぼ半円周に亙り形成したスリット状の切り欠きから上記板片の小径側半円弧部の外周縁を上記ヘッダの内周面に向けて挿入すると共に、これら小径側半円弧部の外周縁とヘッダの内周面との間、並びに上記大径側半円弧部の両側面及び上記１対の段部と上記切り欠きの内周縁との間をろう付けして成る熱交換器用ヘッダに於いて、上記小径側半円弧部の外周縁で上記１対の段部に隣接する部分に、この小径側半円弧部の外周縁により構成される半円よりも直径方向内方に位置する状態で形成した、直線状の端縁を有する１対の切り欠き部を備え、上記ヘッダに対する上記板片の挿入方向と直交する方向に亙る、上記各切り欠き部同士の間隔の最大値を、上記ヘッダの内周面の直径で公差により変動する範囲内での最小値と同等若しくはこの最小値よりも僅かに小さくした事を特徴とする熱交換器用ヘッダ。
【請求項２】
板片をヘッダに挿入した状態でこのヘッダの内周面と小径側半円弧部の外周縁との間に形成される隙間を０．３５mm以下に規制する、請求項１に記載した熱交換器用ヘッダ。
【発明の詳細な説明】
【０００１】
【発明の属する技術分野】
この発明は、自動車用空調機を構成するコンデンサ等として使用される熱交換器を構成するヘッダの改良に関し、ろう付け不良に伴う不良品の発生を有効に防止すべく発明したものである。
【０００２】
【従来の技術】
自動車用空調機のコンデンサとして利用する熱交換器として、例えば実開昭６４−８０８１号公報には、図３に示す様な構造のアルミニウム合金製熱交換器が記載されている。この従来のアルミニウム合金製熱交換器は、上端面に入口管１を接続したアルミニウム合金製の入口側ヘッダ２と、この入口側ヘッダ２と平行に配置され、下端面に出口管３を接続した出口側ヘッダ４とを、複数の伝熱管５、５により互いに接続し、隣り合う伝熱管５、５同士の間に、コルゲート型のフィン６、６を挟持する事により構成している。冷媒等の流体と空気との間で熱交換を行なわせる場合には、入口管１から流体を送り込み、出口管３から取り出せば、この流体は、入口側ヘッダ２から出口側ヘッダ４に向けて複数の伝熱管５、５を流れる間に、これら伝熱管５、５及び上記フィン６、６の周囲を流れる空気との間で熱交換を行なう。
【０００３】
ところで、上述の様に構成され作用するアルミニウム合金製熱交換器の場合、伝熱管５、５内を流れる冷媒等の流体の流路を長くして、流体の流れを速くする事により、熱交換器の性能向上を図る為、上記各ヘッダ２、４の中間部に隔壁７、７を設ける事が行なわれている。例えば、図３に示した構造の場合、入口側ヘッダ２の内側と出口側ヘッダ４の内側とに、それぞれ１個ずつの隔壁７、７を固定している。この為、入口管１から入口側ヘッダ２に送り込まれた冷媒等の流体は、先ず一部の伝熱管５、５を通じて出口側ヘッダ４に送られる。次いでこの流体は、この出口側ヘッダ４から別の伝熱管５、５を通じて再び入口側ヘッダ２に戻され、更に残りの伝熱管５、５を通じて再び出口側ヘッダ４に送られてから、出口管３より送り出される。
【０００４】
上述の様に、入口側ヘッダ２或は出口側ヘッダ４の内側を複数の室に分割する為の隔壁７は、例えば図４〜６に示す様にして、入口側ヘッダ２（或は出口側ヘッダ４。以下同じ。）の内側に装着する。即ち、入口側ヘッダ２の側面に、この入口側ヘッダ２の丁度半周分に亙って、スリット状の切り欠き８を形成しておく。隔壁７を構成する板片９は、入口側ヘッダ２の内周面とほぼ一致する外周縁を有する小径側半円弧部１０と、この小径側半円弧部１０よりも大径の外周縁を有する大径側半円弧部１１とから成り、両半円弧部１０、１１同士の連続部に段部１２、１２を形成している。
【０００５】
この様に形成される板片９は、小径側半円弧部１０の側から、上記切り欠き８の内側に挿入する。そして、上記小径側半円弧部１０の外周縁と入口側ヘッダ２の内周面との間、並びに上記切り欠き８の内周縁と大径側半円弧部１１の外周寄り部分の両側面及び各段部１２、１２との間を気密且つ液密にろう付けする事により、上記隔壁７とする。即ち、それぞれが芯材とろう材とを積層して成る、所謂クラッド材により構成された、板片９と入口側ヘッダ２との表面には、ろう材の層が存在する為、アルミニウム合金製熱交換器の構成各部品を、図３に示す様に仮組み付けした状態で加熱すれば、上記各間部分がろう付けされる。
【０００６】
【発明が解決しようとする課題】
上述した様な板片９と入口側ヘッダ２とを製造する場合、これら板片９及び入口側ヘッダ２の各部の寸法は、公差範囲内でばらつく。この結果、小径側半円弧部１０の外周縁と入口側ヘッダ２の内周面との寸法が不一致になり、これら小径側半円弧部１０の外周縁と入口側ヘッダ２の内周面との間に、図６に示す様な隙間１３が生じる場合がある。この隙間１３は、上記小径側半円弧部１０の外周縁の直径が公差により変動する範囲内での最大値になり、上記入口側ヘッダ２の内周面の直径が公差により変動する範囲内での最小値になった場合に最も大きくなる。即ち、上記小径側半円弧部１０の外周縁の直径が上記入口側ヘッダ２の内周面の直径よりも大きくなっているので、上記小径側半円弧部１０を上記入口側ヘッダ２の内周面に向けて挿入した場合にも、図６に示す様に、この小径側半円弧部１０が上記入口側ヘッダ２内に完全に納まらない。この結果として、上記小径側半円弧部１０の外周縁と上記入口側ヘッダ２の内周面との間には、大きな隙間１３が発生する事になる。この様に、大きな隙間１３が発生すると、上記板片９と上記入口側ヘッダ２とのろう付け性が悪化し、隔壁７としての機能が損なわれる為、好ましくない。
上述の様な隙間１３は、単に小径側半円弧部１０の外周縁の直径を、上記入口側ヘッダ２の内周面の直径よりも小さ目に造っても、公差のばらつきにより、十分に小さくできない。即ち、上記外周縁の直径が公差内で最小値になり、内周面の直径が同じく最大値になると、ろう付け不良に結び付く様な隙間が生じる。公差を小さくする事は、コスト高の原因となる為、好ましくない。
本発明の熱交換器用ヘッダは、以上の様な不都合に鑑み、特にコストを上昇させる事なく、ろう付け不良を防止して歩留を向上させるべく発明したものである。
【０００７】
【課題を解決するための手段】
本発明の熱交換器用ヘッダは、前述した従来の熱交換器用ヘッダと同様に、金属材により円筒状に造られたヘッダと、このヘッダの側面に複数個設けられ、伝熱管の端部を挿通自在なスリット状の接続孔と、上記ヘッダの軸方向中間部に設けられ、このヘッダ内を複数の室に分割する少なくとも一つの隔壁とを備える。そして、この隔壁を構成する板片は、上記ヘッダの内周面とほぼ一致する外周縁を有する小径側半円弧部と、この小径側半円弧部よりも大径の外周縁を有する大径側半円弧部と、これら小径側、大径側両半円弧部同士の連続部に形成した１対の段部とを備える。そして、上記隔壁は、上記ヘッダにほぼ半円周に亙り形成したスリット状の切り欠きから上記板片の小径側半円弧部の外周縁を上記ヘッダの内周面に向けて挿入すると共に、これら小径側半円弧部の外周縁とヘッダの内周面との間、並びに上記大径側半円弧部の両側面及び上記１対の段部と上記切り欠きの内周縁との間をろう付けして成る。
【０００８】
特に、本発明の熱交換器用ヘッダに於いては、上記小径側半円弧部の外周縁で上記１対の段部に隣接する部分に、この小径側半円弧部の外周縁により構成される半円よりも直径方向内方に位置する状態で形成した、直線状の端縁を有する１対の切り欠き部を備える。そして、上記ヘッダに対する上記板片の挿入方向と直交する方向に亙る、上記各切り欠き部同士の間隔の最大値を、上記ヘッダの内周面の直径で公差により変動する範囲内での最小値と同等若しくはこの最小値よりも僅かに小さくしている。そして、好ましくは、上記板片を上記ヘッダに挿入した状態でこのヘッダの内周面と上記小径側半円弧部の外周縁との間に形成される隙間を０．３５mm以下に規制している。
【０００９】
【作用】
上述の様に構成する熱交換器用ヘッダの場合、板片の小径側半円弧部をヘッダの内周面に向けて挿入する際に、この板片が上記ヘッダに不完全な状態で組み付けられる事がなくなる。即ち、段部から離れるに従って互いに近付く方向に傾斜した１対の切り欠き部の存在に基づき、ヘッダ及び板片の寸法誤差及び形状誤差に拘らず、小径側半円弧部の段部寄り端部を、切り欠き内に押し込めなくなる事がない。この為、特にヘッダ及び板片の公差を厳しく規制しなくても、上記小径側半円弧部の外周縁とヘッダの内周面との間の隙間が大きくなり過ぎる事がなくなり、コスト上昇を招く事なく、上記板片と上記ヘッダとのろう付け不良を防止する事ができる。
【００１０】
【発明の実施の形態】
図１は、本発明の実施の形態の１例を示している。本例の熱交換器用ヘッダの基本構造は、前述した従来構造と同様である。特に、本例の場合には、小径側半円弧部１０の外周縁の一部形状を異ならせている点が、従来構造と異なる。そこで、その他の部分の構造及び作用は、基本的には前述の図４〜６に示した従来構造と同様であるから、同等部分に関する図示並びに説明は、省略若しくは簡略にし、以下、本発明の特徴部分を中心に説明する。
【００１１】
本発明の熱交換器用ヘッダは、アルミニウム合金製の板材により円筒状に造られたヘッダ１５と、このヘッダ１５の側面にこのヘッダ１５の軸方向（図１の表裏方向）に亙って複数個設けられ、伝熱管（図３参照）の端部を挿通自在なスリット状の接続孔１６と、上記ヘッダ１５の軸方向中間部に設けられ、このヘッダ１５内を気密・液密を保持した状態で複数の室に分割する隔壁７とを備えている。この隔壁７を構成する板片９ａは、上記ヘッダ１５の内周面とほぼ一致する外周縁を有する小径側半円弧部１０と、この小径側半円弧部１０よりも大径の外周縁を有する大径側半円弧部１１と、これら小径側、大径側両半円弧部１０、１１同士の連続部に形成した１対の段部１２、１２とを備えている。又、上記隔壁７は、上記ヘッダ１５の半円周に亙り形成したスリット状の切り欠き８から上記板片９ａを、この板片９ａの小径側半円弧部１０の外周縁を上記ヘッダ１５の内周面に向けて挿入すると共に、これら小径側半円弧部１０の外周縁とヘッダ１５の内周面との間、並びに上記大径側半円弧部１１の外周縁寄り両側面及び上記１対の段部１２、１２と上記切り欠き８の内周縁とをろう付けして成る。
【００１２】
本発明の熱交換器用ヘッダの場合、上記板片９ａは、上記小径側半円弧部１０の外周縁で上記１対の段部１２、１２に隣接する部分に、１対の切り欠き部１７、１７を形成している。これら各切り欠き部１７、１７はそれぞれ、上記段部１２、１２に隣接する部分の端縁が直線となる様に、この隣接する部分の円弧部を切除した如き形状として、当該部分の端縁が、上記小径側半円弧部１０の外周縁により構成される半円Ｒよりも直径方向内方に位置する状態としている。そして、上記ヘッダ１５に対する上記板片９ａの挿入方向（図１の上方向）と直交する方向（図１の左右方向）に亙る、上記各切り欠き部１７、１７同士の間隔の最大値Ｗ17を、上記ヘッダ１５の内周面の直径で公差により変動する範囲内での最小値Ｄ15と同等若しくはこの最小値Ｄ15よりも僅かに小さくしている（Ｄ15≧Ｗ17）。即ち、単体の熱交換器用ヘッダで見た場合には、上記最大値Ｗ17が上記最小値Ｄ15を上回る事はない。そして、上記板片９ａを上記ヘッダ１５に挿入した状態でこのヘッダ１５の内周面と上記小径側半円弧部１０の外周縁との間に形成される隙間１８、１９を、何れも０．３５mm以下に規制している。
【００１３】
上述の様に構成する本例の熱交換器用ヘッダの場合には、板片９ａの小径側半円弧部１０をヘッダ１５の内周面に向けて挿入する際に、この板片９ａが上記ヘッダ１５に不完全な状態で組み付けられる事がなくなる。即ち、上記各段部１２、１２から離れる（挿入方向先端側に向う）に従って互いに近付く方向に傾斜した１対の切り欠き部１７、１７の存在に基づき、上記ヘッダ１５及び板片９ａの寸法誤差及び形状誤差に拘らず、上記小径側半円弧部１０の外周縁とヘッダ１５の内周面とが当接若しくは近接する以前に、上記小径側半円弧部１０の段部１２、１２寄り端部を、上記切り欠き８内に押し込めなくなる事がない。この為、特に上記ヘッダ１５及び板片９ａの公差を厳密に規制しなくても、上記小径側半円弧部１０の外周縁と上記ヘッダ１５の内周面との間の隙間１８が大きくなり過ぎる事がない。従って、上記板片９ａと上記ヘッダ１５とのろう付け不良を防止する事ができる。尚、上記板片９ａとヘッダ１５との間の隙間は、上記小径側半円弧部１０の外周縁とヘッダ１５の内周面との間の隙間１８だけでなく、上記各切り欠き部１７、１７と上記ヘッダ１５の内周面との間に形成される上記各隙間１９、１９も小さくしている。即ち、これら各隙間１９、１９が０．３５mm以下に収まる様に、上記各切り欠き部１７、１７の長さＬ17を規制している。
【００１４】
尚、本例の場合には、上記ヘッダ１５として、板材を丸めて両端縁部同士を互いに突き合わせ、突き合わせ部を電気溶接した、所謂電縫管を使用している。但し、ヘッダ１５の低廉化を図る為に、このヘッダ１５を、芯材の少なくとも片面にろう材を積層した板材を丸めて両端縁部同士を互いに突き合わせ、突き合わせ部を上記ろう材によりろう付けした、所謂プレスチューブを使用しても良い。
【００１５】
【実施例】
次に、本発明の効果を確認する為、本発明者が行なった実施例に就いて説明する。実施例では、上記板片９ａの小径側半円弧部１０の外周縁の直径（１９mm）での公差（＋０．２０mm〜０mm）により変動する範囲内での最大値を１９．２mmとした。又、上記ヘッダ１５に対する上記板片９ａの挿入方向と直交する方向に亙る、上記各切り欠き部１７、１７同士の間隔の最大値Ｗ17並びに上記ヘッダ１５の内周面の直径（１９mm）での公差（＋０．２０mm〜−０．１４mm）により変動する範囲内での最小値Ｄ15をそれぞれ１８．８６mmとした。そして、上記各切り欠き部１７、１７の長さＬ17、Ｌ17を４．１５mmとした。この場合、上記板片９ａを上記ヘッダ１５内に挿入すると、両部材９ａ、１５は、図１に示す様な状態で結合する。同図から明らかな通り、上記板片９ａの小径側半円弧部１０の外周縁と上記ヘッダ１５の内周面との間に形成される隙間１８は、図６に示した従来構造の場合に発生する隙間１３よりも遥かに小さい。本実施例の場合には、上記隙間１８は０．２３mmに、上記１対の切り欠き部１７、１７と上記ヘッダ１５の内周面との間に形成される隙間１９、１９は、それぞれ０．２５mmになる。尚、本実施例と同様の寸法で、図６に示した従来構造を構成する板片９と前記入口側ヘッダ２とを作製し、この板片９を入口側ヘッダ２内に挿入した場合には、上記隙間１３は１．６４mmになる。
【００１６】
又、本発明の発明者は、上記各隙間１８、１９の変化に対する、ろう付け性に就いても試験を行なった。この試験の結果を図２に示す。この図２に於いて、横軸は、ろう付け接合する両部材９ａ、１５間の隙間１８、１９を、縦軸は、これら両部材９ａ、１５間の隙間１８、１９に形成されるフィレットの厚さ（図１の表裏方向に亙る厚さ）を、それぞれ表している。又、図中の黒丸は、１３通りに変化させた上記各隙間１８、１９に対する、これら各隙間１８、１９に形成されたフィレットの厚さを、それぞれ示している。この試験によれば、図２から明らかな通り、上記各隙間１８、１９が０．３５mm以下であれば、これら各隙間１８、１９に形成されるフィレットの厚さは、１．１１mm以上になる。従って、上記両部材９ａ、１５は、気密・液密にろう付けされる。これに対して、上記各隙間１８、１９が０．４mm以上の場合には、これら各隙間１８、１９に形成されるフィレットの厚さは０mmになる（フィレットが形成されない）。従って、上記両部材９ａ、１５をろう付けする事ができない。尚、本試験では上記両部材９ａ、１５のうち、板片９ａの厚さを１．３mmとした。
【００１７】
上述した実験の結果から明らかな通り、上記各隙間１８、１９を０．３５mm以下にすれば、これら各隙間１８、１９は完全に密閉される。前述した実施例の場合には、上記各隙間１８、１９は、それぞれ０．２３mm、０．２５mmであるので、これら各隙間１８、１９は完全に密閉される。尚、上述した試験には、上記両部材９ａ、１５の芯材としてＪＩＳＡ３００３材を、前記ろう材としては、ＪＩＳＡ４３４３材を、それぞれ使用した。
【００１８】
【発明の効果】
本発明は、以上の様に構成され作用するので、熱交換器用ヘッダのろう付け性を向上させて、不良品の発生をなくし、歩留を向上させてコストの低廉化を図れる。
【図面の簡単な説明】
【図１】本発明の実施の形態の１例を示す断面図。
【図２】板片の外周縁及びヘッダの内周面の間に形成される隙間とこの隙間に形成されるフィレットの厚さとの関係を示す図。
【図３】本発明の対象となるアルミニウム合金製熱交換器の１例を示す正面図。
【図４】従来のアルミニウム合金製熱交換器に於ける隔壁形成部分を示す斜視図。
【図５】同じく隔壁形成部分の縦断面図。
【図６】同じく隔壁形成部分の横断面図。
【符号の説明】
１  入口管
２  入口側ヘッダ
３  出口管
４  出口側ヘッダ
５  伝熱管
６  フィン
７  隔壁
８  切り欠き
９、９ａ  板片
１０  小径側半円弧部
１１  大径側半円弧部
１２  段部
１３  隙間
１５  ヘッダ
１６  接続孔
１７  切り欠き部
１８  隙間
１９  隙間
【図１】
0004067166.tif 000002
【図２】
0004067166.tif 000003
【図３】
0004067166.tif 000004
【図４】
0004067166.tif 000005
【図５】
0004067166.tif 000006
【図６】
0004067166.tif 000007